(57)【要約】      （修正有）【課題】誰しもが簡単で確実にペット用発芽食品を栽培できる様に且つ、ペットに適量で持ち運び性も考慮した切り離し方式の数個からなるコンパクトな形態のペット用家庭栽培植物キット容器を提供する。【解決手段】相似形のカップ２個以上の形状で、カップは互いに薄肉プラスチックシート成形品からなるフランジで連結されており、フランジ部分にミシン目１を入れる形状を施したことを特徴とし、また、カップ底部に２．０〜３．０ｍｍの大きさで丸状の水抜き穴２を２個以上で複数個加工を施すことにより、カップ内の不要な水分を外へ排出することができることを特徴とする。【選択図】図１
0003192662.tif 000002
【実用新案登録請求の範囲】
【請求項１】
相似形のカップ２個以上の形状で、薄肉プラスチックシート成形品からなり上部フランジ連結部にミシン目を入れる形状を施したペット用家庭栽培植物キット容器。
【請求項２】
カップ底部に２．０〜３．０mmの大きさで丸状の水抜き穴2個以上で複数個加工を施すことにより、カップ内の不要な水分を外へ排出することができるペット用家庭栽培植物キット容器。
【請求項３】
請求項１からなる容器の中に供えられた培養土と種子が流通時の振動で動かぬよう抑える機能と二重鉢折りされたボール紙や段ボール紙で取扱説明書が飛び出すペット用家庭栽培植物キット容器。
【請求項４】
請求項１からなる容器の中に供えられた種子の上には、種子を覆う覆土が充填されてあり、培養土や覆土の水分含量は、前記種子より低い値で乾燥させたものを使用することで発芽を抑制でき、長期保存ができる特徴とするペット用家庭栽培植物キット容器。
【考案の詳細な説明】
【技術分野】
【０００１】
本考案は、ペット用家庭栽培植物のキット容器に関するものである。
【背景技術】
【０００２】
動物の一部には、自身の体調管理の意味や毛繕いの際に内臓内に入った体毛の排出の為、植物を食べ体内の不純物を排出する習性、習慣、本能を備えている。家庭内で飼育する犬や猫等ペットも同様の習性、習慣、本能が有り、その為の家畜用の植物が販売されている。一部家庭内で生育させる方式のキット状の物も販売されている。特に愛犬家、愛猫家においてはその動物の種類に適した植物で、新鮮で安全・安心な物を求めている。
【０００３】
しかし今日、市中で入手できるペット用の植物は、生育済みの物は当然日持ちもしないし、生育させるタイプの物は大きく、一匹用には量も適当でなく生育も条件的に手続きが難しく、価格も高いものが一般的となっている。
【先行技術文献】
【特許文献】
【０００４】
【特許文献１】登録実用新案第３１４０５５２号
【考案の概要】
【考案が解決しようとする課題】
【０００５】
本考案は若年層や高年齢化も想定されるペット愛好家に簡単で、家庭内や旅先に同行させる際のペットにコンパクトで手軽に持ち運びが出来て、適正量で新鮮、安全、安心なスプラウト（催芽野菜）の提供を行う事を目的として、確実に植物の発芽を促す方法と、それを加味した部品をセットしキット化された製品形態を考案することにある。
【課題を解決するための手段】
【０００６】
本考案は、植物性樹脂や薄肉プラスチックでシート成形され、２個以上の部分からなり、使用日毎に切り離し可能なようにミシン目加工が施された容器に、培養土と植物種子を入れ流通時に中身が踊らないように緩衝材を施し、上部をフィルム状シール蓋で封をしたもので考案目的のペット用家庭栽培植物のキット容器を達成させるものである。
【考案の効果】
【０００７】
本考案のペット用家庭栽培植物のキット容器は、植物の育成に最適な培養土が入れられその上に適量の種子が配置された本体容器各々がミシン目で分離出来るよう設計されている。利用者は本考案品を購入して、上の蓋シールを剥がし受け皿の上に置く、水３０ｃｃ〜５０ｃｃを入れ種と土にかけ、そのトレーを本体容器の底に水受けとして敷く。
【０００８】
本考案は、ミシン目等を入れて、切り離し可能な小さな容器とすることで、常に新鮮で必要量のみ生育させる
事と、併せて持ち運びに便利なものとすることの可能性を目指した。又、植物の生育には必要な土と種子の量を入れ、特に入れ過ぎや不足は生育の妨げとなり適正な水の量が重要な要素となる。上蓋シールの取り外しの際に、説明書の飛び出しが容易になるように、ボール紙や段ボール紙を二重に折り返しその間に取扱説書を挟むことで、取扱説明書の読み漏れを無くし、水やりや置き場所の認識が深まり栽培を容易にした。
【０００９】
通常の植物の発芽条件には光や温度と、着床と共に栄養源となる土、水の4要素が必要であるが土と接触されていて、物流時、在庫時の温度、湿度上昇による発芽促進が起こらないよう、植物種子が水分により発芽スイッチが入るよう設計されており、パッケージ的には流通・在庫時点で余分な湿度が必要以上入らないよう天面シール蓋と底部に不織布が施され湿度調節状態を作っている。家畜用植物種子は、自らの水分より少しでも多い水分を集めて吸収する特徴がある。培養土の水分においては、種子水分より低いとことが望まれ、家畜用種子の一般的な水分は10％〜13％なので、それ以下の9.9％以下の乾燥が必要とされる。
【図面の簡単な説明】
【００１０】
【図１】本体容器正面図
【図２】図１のa ―b  断面図
【図３】本考案セット品断面図
【図４】使用時断面図
【考案を実施するための形態】
【００１１】
本考案は数個からなる切り離し可能でコンパクト形状の本体容器と、中に充填された土と種の流通時の振動等による拡散から守り押さえる道具となり、シール蓋、ボール紙などの緩衝材、取扱説明書、種子、培養土、不織布（紙）の６点からなるペット用家庭栽培植物キットである。
【実施例１】
【００１２】
図１は本体容器正面図で有り２個以上で成形され各々がミシン目部１で切り離せる形状となり、底には水が抜けるように小さな丸型穴抜き刃加工部２がある。容器自身は廃棄性を考慮して素材が薄肉のプラスチックシート成形品からなる。水抜き加工の切込み刃が大きな穴状であると流通時や在庫時に水分が入る事や、培養土が出てしまうことや、給水時に培養土が流れ出てしまう為、水は落ちるが培養土が落ちない形態となる本案の直径２．０〜３．０mmの小さな4個穴を図1の２の箇所に開けることで、容器内の余分な水分を排除し、尚受け皿全体に広げる4個穴方式が最適となる。
【００１３】
図２は図１のａ ―ｂ断面図であり、ミシン目１で分離出来る。底には抜き穴４の加工がなされている。
【００１４】
図３は本考案のセット品断面図であり、本体容器５に不織布１１を敷き、培養土９と種子８を入れ、上から培養土９を置き、さらに上から二重折りボール紙、二重折り段ボール紙６で取扱説明書７をはさみ、上蓋シールを貼った図である。
【００１５】
図４は本考案品の使用者の使用時断面図を表し、本考案の最終的な実施例となるが、使用者は本体容器をミシン目部で切り離し、上部シール蓋を取り去ると取扱説明書が飛び出し栽培を理解し。容器に３０ｃｃ〜５０ｃｃの水を培養土と種子に散布して後、本体容器の底に市販品の受け皿などを敷いて使用する構造となり、使用者の卓上や室内でのスプラウト育成使用に配慮したものとしている。
【００１６】
培養土の水分含量を種子水分含量以下にすることで、種子の発芽を抑制する容器になっている。
【産業上の利用可能性】
【００１７】
ともすれば、家族よりも大切に可愛がる人も居るペット愛好家にとって、安全で、安心、適正な環境で育成する事をも求めるスプラウト製品に、誰しもが確実に育てる事が出来、常に適量をペットに供給可能な形状本体容器部で配送時、生育時の各々の折に機能させる方法にまとめられた本考案品は、持ち運びにも環境にも配慮され、多様化するペットを育てる現状に則したものと言える。
【符号の説明】
【００１８】
１    ミシン目部
２    丸型穴抜き刃加工部
３    ミシン目
４    丸型穴抜き刃加工部
５    切り離し本体容器
６    二重折りボール紙または、二重折り段ボール紙
７    取扱説明書
８    種子
９    培養土
１０    シール蓋
１１    不織布
１２    受け皿（市販品）
１３    水
【図１】
0003192662.tif 000003
【図２】
0003192662.tif 000004
【図３】
0003192662.tif 000005
【図４】
0003192662.tif 000006
【手続補正書】
【提出日】平成26年6月23日(2014.6.23)
【手続補正１】
【補正対象書類名】実用新案登録請求の範囲
【補正対象項目名】全文
【補正方法】変更
【補正の内容】
【実用新案登録請求の範囲】
【請求項１】
相似形のカップ２個以上の形状で、前記カップは互いに薄肉プラスチックシート成形品からなるフランジで連結されており、前記フランジ部分にミシン目を入れる形状を施したペット用家庭栽培植物キット容器。
【請求項２】
カップ底部に２．０〜３．０mmの大きさで丸状の水抜き穴2個以上で複数個加工を施すことにより、カップ内の不要な水分を外へ排出することができることを特徴とする請求項1記載のペット用家庭栽培植物キット容器。